(57)【特許請求の範囲】
【請求項１】
本体の前面中央に前面吸込口を、上面に上面吸込口を、前記前面吸込口と前記上面吸込口との間に前面上部吸込口を夫々設けるとともに、前面下部に吹出口を設け、前記前面吸込口、前記上面吸込口及び前記前面上部吸込口と前記吹出口とを結ぶ空気通路に、前記前面上部吸込口に臨ませた空気清浄ユニットと、熱交換器と、送風ファンとを夫々設け、前記前面吸込口に、同前面吸込口を開閉する複数の前面ルーバを設けるとともに、前記上面吸込口に、同上面吸込口を開閉する複数の上面ルーバを設け、前記前面ルーバがその下端に備えた軸が前記本体に軸支されることにより前後に回動して前記前面吸込口を開閉し、前記上面ルーバが後端に備えた軸が前記本体に軸支されることにより上下に回動して前記上面吸込口を開閉するようにし、
空気清浄運転時、前記前面ルーバにより前記前面吸込口を閉じ、前記上面ルーバにより前記上面吸込口を閉じて、前記前面上部吸込口から吸込まれた空気が前記空気清浄ユニットにより清浄化され、前記吹出口から送出されるようにしてなる空気調和機において、
前記空気清浄ユニットに近接した前記前面ルーバの上端に後方に延びる案内板を設けるとともに、前記空気清浄ユニットに近接した前記上面ルーバの先端に下方に延びる案内板を設けて、前記前面ルーバが前記前面吸込口を閉じ、前記上面ルーバが前記上面吸込口を閉じた際、前記夫々の案内板が、前記前面上部吸込口から前記空気清浄ユニットへの吸込通路を形成してなることを特徴とする空気調和機。
【請求項２】
前記案内板が、前記前面ルーバあるいは前記上面ルーバに備えられた軸を中心とした円弧状に形成されてなることを特徴としてなる請求項１に記載の空気調和機。
【請求項３】
前記前面ルーバあるいは前記上面ルーバの内面に横方向の溝を設け、前記案内板に前記溝に嵌合する嵌合部を設けて、前記案内板が前記前面ルーバあるいは前記上面ルーバに取付けられてなることを特徴とする請求項１に記載の空気調和機。
【発明の詳細な説明】
【０００１】
【発明の属する技術分野】
本発明は、空気調和機に係わり、より詳細には、本体の前面中央に複数の前面ルーバを備えた前面吸込口を、上面に複数の上面ルーバを備えた上面吸込口を設けるとともに、前記前面吸込口と前記上面吸込口との間に前面上部吸込口を設け、本体内に前記前面上部吸込口を臨ませた空気清浄ユニットを設けた空気調和機において、前記前面ルーバと前記上面ルーバとにより夫々の吸込口を閉じた際、前記前面上部吸込口から吸込まれた空気が上下に散逸することなく円滑に前記空気清浄ユニットを通過するようにした構成に関する。
【０００２】
【従来の技術】
従来の空気調和機は、例えば図５で示すような構成となっている。図５で示す空気調和機３０は、本体の前面中央に前面ルーバ４ａ、４ｂ及び４ｃを備えた前面吸込口４を設け、上面に上面ルーバ５ａ、５ｂ及び５ｃを備えた上面吸込口５を設け、前記前面吸込口４と前記上面吸込口５との間に複数の桟を備えた前面上部吸込口６を設けるとともに、本体の前面下部に吹出口９を設けている。前記前面吸込口４、前記上面吸込口５及び前記前面上部吸込口６と、前記吹出口９とを結ぶ空気通路には、前記前面上部吸込口６を臨ませた空気清浄ユニット１０と、垂直部７ａと、同垂直部７ａの上端を折曲し後方に傾斜させた後方傾斜部７ｂと、同後方傾斜部７ｂの上端を折曲して下方に傾斜させた下方傾斜部７ｃとからなる熱交換器７と、送風ファン８とが設けられている。
【０００３】
前記空気調和機３０は、前記前面上部吸込口６を臨ませた前記空気清浄ユニット１０の単体運転による空気清浄運転が行えるようになっており、その際、前記ルーバ４ａ、４ｂ及び４ｃが前記前面吸込口４を閉じるとともに、前記上面ルーバ５ａ、５ｂ及び５ｃが前記上面吸込口５を閉じるようになっており、室内の空気は前記前面上部吸込口６のみから吸込まれ、前記空気清浄ユニット１０により塵埃が除去され清浄化されて前記吹出口９から室内に送出されるようになっている。
【０００４】
しかしながら、前記前面上部吸込口６から吸込まれた空気の一部は、前記空気清浄ユニット１０の上下端と前記本体との間に形成された隙間から前記空気清浄ユニット１０の上下に廻り込み、図４の矢印で示すように、前記空気清浄ユニット１０を通過することなく前記吹出口９に向かい清浄化された空気と混合して室内に送出されてしまうという不具合があった。このため、空気清浄運転の効率の低下を招いていた。
【０００５】
【発明が解決しようとする課題】
本発明は上記問題点に鑑み、空気清浄ユニットの単体運転による空気清浄運転を行う際、吸込口から吸込まれた空気が、すべて前記空気清浄ユニットを通過するようにして空気清浄運転の効率を向上させた空気調和機を提供することを目的とする。
【０００６】
【課題を解決するための手段】
本発明は上記課題を解決するため、本体の前面中央に前面吸込口を、上面に上面吸込口を、前記前面吸込口と前記上面吸込口との間に前面上部吸込口を夫々設けるとともに、前面下部に吹出口を設け、前記前面吸込口、前記上面吸込口及び前記前面上部吸込口と前記吹出口とを結ぶ空気通路に、前記前面上部吸込口に臨ませた空気清浄ユニットと、熱交換器と、送風ファンとを夫々設け、前記前面吸込口に、同前面吸込口を開閉する複数の前面ルーバを設けるとともに、前記上面吸込口に、同上面吸込口を開閉する複数の上面ルーバを設け、前記前面ルーバがその下端に備えた軸が前記本体に軸支されることにより前後に回動して前記前面吸込口を開閉し、前記上面ルーバが後端に備えた軸が前記本体に軸支されることにより上下に回動して前記上面吸込口を開閉するようにし、
空気清浄運転時、前記前面ルーバにより前記前面吸込口を閉じ、前記上面ルーバにより前記上面吸込口を閉じて、前記前面上部吸込口から吸込まれた空気が前記空気清浄ユニットにより清浄化され、前記吹出口から送出されるようにしてなる空気調和機において、
前記空気清浄ユニットに近接した前記前面ルーバの上端に後方に延びる案内板を設けるとともに、前記空気清浄ユニットに近接した前記上面ルーバの先端に下方に延びる案内板を設けて、前記前面ルーバが前記前面吸込口を閉じ、前記上面ルーバが前記上面吸込口を閉じた際、前記夫々の案内板が、前記前面上部吸込口から前記空気清浄ユニットへの吸込通路を形成してなる構成となっている。
【０００７】
また、前記案内板が、前記前面ルーバあるいは前記上面ルーバに備えられた軸を中心とした円弧状に形成されてなる構成となっている。
【０００８】
更に、前記前面ルーバあるいは前記上面ルーバの内面に横方向の溝を設け、前記案内板に前記溝に嵌合する嵌合部を設けて、前記案内板が前記前面ルーバあるいは前記上面ルーバに取付けられてなる構成となっている。
【０００９】
【発明の実施の形態】
以下、本発明の実施の形態を、添付図面に基づいた実施例として詳細に説明する。
図１は本発明による空気調和機の吸込口を開いた状態を示す断面図であり、図２は吸込口を閉じた状態を示す断面図である。また、図３（Ａ）は吸込口を開いた状態での吸込空気の流れを示す断面図であり、図３（Ｂ）は吸込口を閉じた状態での吸込空気の流れを示す断面図である。また、図４（Ａ）は本発明による第二の実施例を示す要部断面図であり、図４（Ｂ）は本発明による第三の実施例を示す要部断面図である。
本発明による空気調和機１は、図１で示すように、ベース２と、同ベース２の前面に装着される前面パネル３とで本体を構成し、同本体の前面中央に前面ルーバ１１、１２及び１３を備えた前面吸込口４を、上面に上面ルーバ１４、１５及び１６を備えた上面吸込口５を設け、前記前面吸込口４と前記上面吸込口５との間に複数の桟を備えた前面上部吸込口６を設けるとともに、本体の前面下部に吹出口９を設けている。前記前面吸込口４、前記上面吸込口５及び前記前面上部吸込口６と、前記吹出口９とを結ぶ空気通路には、前記前面上部吸込口６を臨ませた、電気集塵式による空気清浄ユニット１０と、垂直部７ａと、同垂直部７ａの上端を折曲し後方に傾斜させた後方傾斜部７ｂと、同後方傾斜部７ｂの上端を折曲して下方に傾斜させた下方傾斜部７ｃとからなる熱交換器７と、送風ファン８とが設けられている。
【００１０】
前記前面吸込口４に備えられた前記前面ルーバ１１、１２及び１３は、その下端に夫々備えた軸１１ａ、１２ａ及び１３ａが前記本体に設けられた支軸部に軸支されて前後に回動するようになっており、前方に向けて回動すると前記前面吸込口４が開放され、後方に向けて回動すると前記前面吸込口４が閉じられるようになっている。前記上面吸込口５に備えられた前記上面ルーバ１４、１５及び１６は、その後端に夫々備えた軸１４ａ、１５ａ及び１６ａが前記本体に設けられた支軸部に軸支されて上下に回動するようになっており、上方に向けて回動すると前記上面吸込口５が開放され、下方に向けて回動すると前記上面吸込口５が閉じられるようになっている。
【００１１】
次に、本発明による第一の実施例について説明をする。第一の実施例は図１で示すように、前記前面吸込口４に備えられた前記前面ルーバ１１は、前記軸１１ａを下端に備えた平板部１１ｂと、同平板部１１ｂの上端に、後方に延びた案内板１１ｃとから形成されており、同様に前記上面吸込口５に備えられた前記上面ルーバ１４は、前記軸１４ａを後端に備えた平板部１４ｂと、同平板部１４ｂの先端に、下方に延びた案内板１４ｃとから形成されている。
【００１２】
前記空気調和機１が冷暖房運転を行う際は、図１に示す状態で夫々の吸込口が開放され室内の空気が吸込まれるようになっている。冷暖房運転の際の空気の流れは図３（Ａ）で示すように、前記前面吸込口４と前記上面吸込口５と前記前面上部吸込口６とから吸込まれた空気は、前記空気清浄ユニット１０を通過するとともに、前記熱交換器７により熱交換されて前記吹出口９から室内に送出される。
【００１３】
前記空気調和機１が前記空気清浄ユニット１０の単体運転による空気清浄運転を行う際は、前記前面ルーバ１１、１２及び１３が後方に回動し前記前面吹出口４を閉じるとともに、前記上面ルーバ１４、１５及び１６が下方に回動し、前記上面吸込口５を閉じるようになっている。この際、図２で示すように、前記前面ルーバ１１の前記案内板１１ｃと、前記上面ルーバ１４の前記案内板１４ｃとが、前記前面上部吸込口６から前記空気清浄ユニット１０への吸込通路を形成するようになっている。図３（Ｂ）で示すように、室内の空気は前記前面上部吸込口６から吸込まれ前記案内板１１ｃと前記案内板１４ｃとで形成された吸込通路により前記空気清浄ユニット１０に導かれ、同空気清浄ユニット１０を通過することにより清浄化されて前記吹出口９から室内に送出されるようになっている。
【００１４】
第二の実施例は、図４（Ａ）で示すように、前面ルーバ１７に設けられた案内板１７ｃを軸１７ａを中心とした円弧状に形成して、前記前面ルーバ１７が後方に回動し前記前面吸込口４を閉じた際、前記案内板１７ｃと前記前面吸込口４との間に生じる隙間が最小となるようにしている。また、第三の実施例は、図４（Ｂ）で示すように、前面ルーバ１８の平板部１８ｂの内側に横方向の溝１８ｄを設け、同溝１８ｄに案内板１８ｃの基端部に形成された嵌合部が嵌合できるようにして、前記平板部１８ｂと前記案内板１８ｃとが別体として夫々製作できるようにしている。これにより、前記平板部１８ｂと前記案内板１８ｃとが金型による樹脂成型で製作された場合、夫々の金型を小型に作ることができ、それにかかるコストを低減できるようになっている。
【００１５】
【発明の効果】
以上説明したように、本発明によると、空気清浄ユニットに近接した前面ルーバの上端に後方に延びる案内板を設け、空気清浄ユニットに近接した上面ルーバの先端に下方に延びる案内板を設け、前記前面ルーバと前面上面ルーバとが夫々の吸込口を閉じた際、前記案内板が前面上部吸込口から前記空気清浄ユニットへの吸込通路を形成することにより、吸込まれた空気が散逸することなく前記空気清浄ユニットを通過するようになり、空気清浄運転の効率が向上した空気調和機とすることができる。
【図面の簡単な説明】
【図１】本発明による空気調和機の第一の実施例を示す断面図である。
【図２】本発明による空気調和機の第一の実施例による、夫々の吸込口が閉じられた状態を示す断面図である。
【図３】図３（Ａ）は、冷暖房運転時の空気の流れを示す図である。
図３（Ｂ）は、空気清浄運転時の空気の流れを示す図である。
【図４】図４（Ａ）は、第二の実施例を示す部分断面図である。
図４（Ｂ）は、第三の実施例を示す部分断面図である。
【図５】従来例による空気調和機の断面図である。
【符号の説明】
１  空気調和機
２  ベース
３  前面パネル
４  前面吸込口
５  上面吸込口
６  前面上部吸込口
７  熱交換器
７ａ  垂直部
７ｂ  後方傾斜部
７ｃ  下方傾斜部
８  送風ファン
９  吹出口
９ａ  風向偏向板
１０  空気清浄ユニット
１１  前面ルーバ
１１ａ  軸
１１ｂ  平板部
１１ｃ  案内板
１２  前面ルーバ
１２ａ  軸
１３  前面ルーバ
１３ａ  軸
１４  上面ルーバ
１４ａ  軸
１４ｂ  平板部
１４ｃ  案内板
１５  上面ルーバ
１５ａ  軸
１６  上面ルーバ
１６ａ  軸
１７  前面ルーバ
１７ａ  軸
１７  平板部
１７ｃ  案内板
１８  前面ルーバ
１８ａ  軸
１８ｂ  平板部
１８ｃ  案内板
１８ｄ  溝
【図１】
0004517497.tif 000002
【図２】
0004517497.tif 000003
【図３】
0004517497.tif 000004
【図４】
0004517497.tif 000005
【図５】
0004517497.tif 000006